(57)【要約】　　　（修正有）【課題】鏡を前方に移動可能とすることで楽な姿勢で顔や目の細かな状態を確認することができ、かつ鏡裏収納物を出し入れしやすい化粧鏡を提供する。【解決手段】本体２と、該本体２にリンク片４を介して取り付けられる鏡３とからなる化粧鏡１において、前記リンク片４の一端が前記鏡３に軸支されると共に、もう一端がリンク片動作部５に軸支され、前記リンク片動作部５が前記本体１に設けられたレール６に摺動自在に取り付けられたことを特徴とする。【選択図】　図１
2004073361.tif 000002
【特許請求の範囲】
【請求項１】
本体と、該本体にリンク片を介して取り付けられる鏡とからなる化粧鏡において、前記リンク片の一端が前記鏡に軸支されると共に、もう一端がリンク片動作部に軸支され、前記リンク片動作部が前記本体に設けられたレールに摺動自在に取り付けられたことを特徴とする化粧鏡。
【請求項２】
前記レールが前記本体の上下２ヶ所に水平方向に取り付けられていることを特徴とする請求項１記載の化粧鏡。
【請求項３】
前記レールが前記本体の左右２ヶ所に垂直方向に取り付けれられていることを特徴とする請求項１記載の化粧鏡。
【請求項４】
本体と、該本体にリンク片を介して取り付けられる鏡とからなる化粧鏡において、前記リンク片は一端が前記鏡に軸支され、もう一端がリンク片動作部に軸支されており、前記リンク片動作部は側面がのこ歯形状部を有しており前記レール内に取り付けられた歯車と互いに噛み合うことを特徴とする化粧鏡。
【請求項５】
前記歯車が回転装置により自動的に回転自在となっていることを特徴とする請求項４に記載の化粧鏡。
【発明の詳細な説明】
【０００１】
【発明の属する技術分野】
本発明は、洗面化粧台の後部上方に備えてなる化粧鏡に関する。
【０００２】
【従来の技術】
従来の化粧鏡は、図１０に示す如く、ベースキャビネット本体の上方部に照明を備え、側方部へ収納部、中央部に鏡で構成したものが一般的である。
また、化粧やコンタクトレンズ装着などの際に顔を鏡に近づける必要をなくすため、中央部の鏡を前方へ移動可能としたものとして特開２０００−２５４０２１などがある。
【０００３】
【発明が解決しようとする課題】
従来の化粧鏡では、化粧やコンタクトレンズ装着などの際に、顔や目の細かな状態を確認するために、腰を曲げて顔を鏡に近づけなければならないという課題を有していた。
そこで、特開２０００−２５４０２１では、鏡が前方に移動できるようにし、これにより使用者は腰を曲げて顔を鏡に近づける必要がなくなり、楽な姿勢で顔や目の細かな状態を確認することができるようになった。
しかし、特開２０００−２５４０２１では、鏡が前方に移動する機構としてパンタグラフ機構を用いているため、ロッドが障害物となり鏡裏収納物を出し入れしにくいという課題を有していた。
本発明は上記課題を解決するもので、鏡を前方に移動可能とすることで楽な姿勢で顔や目の細かな状態を確認することができ、かつ鏡裏収納物を出し入れしやすい化粧鏡を提供するものである。
【０００４】
【課題を解決するための手段】
上記課題を解決するため本発明は、本体と、該本体にリンク片を介して取り付けられる鏡とからなる化粧鏡において、前記リンク片の一端が前記鏡に軸支されると共に、もう一端がリンク片動作部に軸支され、前記リンク片動作部が前記本体に設けられたレールに摺動自在に取り付けられたことを特徴とする。
【０００５】
本発明によれば、化粧やコンタクトレンズ装着などの際に、顔や目の細かな状態を確認するために、前記鏡を手前に引き出すことにより腰を曲げずに楽な姿勢で前記鏡を近くで見ることができる。
さらに、その際に必要な化粧品などの前記鏡裏収納物を容易に出し入れすることができる。
【０００６】
本発明の好ましい態様として、前記レールが前記本体の上下２ヶ所に水平方向に取り付けられていることを特徴とする。
これにより、前記鏡を手前に引き出した後、左右に移動させることができ、使用者は前記化粧鏡の中央から動くことなく前記鏡裏収納物をより容易に出し入れすることができる。
【０００７】
本発明の好ましい態様として、前記レールが前記本体の左右２ヶ所に垂直方向に取り付けれられていることを特徴とする。
これにより、前記鏡を手前に引き出した後、上下に移動させることができるため、身長の低いお年寄り・子供であっても台に乗ったりすることなく前記鏡を無理なく使うことができ、また背の高い人であってもひざを曲げたりすることなく前記鏡を無理なく使うことができる。
さらに、前記化粧鏡本体の間口が小さくても、前記リンク片の長さを大きくとれるため、前記鏡の手前へ引き出せる距離をより大きくとることができる。
【０００８】
本発明の好ましい態様として、本体と、該本体にリンク片を介して取り付けられる鏡とからなる化粧鏡において、前記リンク片は一端が前記鏡に軸支され、もう一端がリンク片動作部に軸支されており、前記リンク片動作部は側面がのこ歯形状部を有しており前記レール内に取り付けられた歯車と互いに噛み合うことを特徴とする。
これにより、片手のみでも傾くことなく容易に前記鏡を手前に引き出すことができる。
【０００９】
本発明の好ましい態様として、前記歯車が回転装置により自動的に回転自在となっていることを特徴とする。
リンク片動作部ののこ歯形状部が噛み合うレール内の歯車を自動で回転させるので、鏡の引き出しや戻しが自動でできる上に、鏡の側面や裏面にじゃまになる機構がないので鏡裏収納にある化粧品などを容易に出し入れすることができる。
【００１０】
【発明の実施の形態】
以下に図面を参照して本発明をより具体的に説明する。重要な部分をわかりやすくするため、部品の前後関係と実線・破線の関係を一部無視している。
【００１１】
図１は、本発明の一実施例に係る化粧鏡の外観斜視図である。
化粧鏡１は、本体２、鏡３、リンク片４、リンク片動作部５、レール６、鏡裏収納部７、収納部８、照明部９とから成っている。
鏡３は４本のリンク片４の一端にて軸支されており、リンク片４のもう一端はリンク片動作部５に軸支され、リンク片動作部５はレール６に摺動自在に取り付けられている。
リンク片動作部５のレール６との摺動部には、ローラーなどの摩擦の小さな素材を用いている。
【００１２】
図２は、本発明の一実施例に係る化粧鏡の中央部の平面図であり、鏡３が手前に引き出される前の状態である。
鏡３は、リンク片動作部５がレール６に対して中央の位置で、奥に戻された状態となる。
【００１３】
図３は、本発明の一実施例に係る化粧鏡の中央部の平面図であり、鏡３が手前に引き出された後の状態である。
鏡３は、リンク片動作部５がレール６に対して左右に開いた位置で、手前に引き出された状態となる。リンク片４の長さにより、鏡の引き出される最大の長さが決まってくる。
左右のリンク片動作部５を同一のレール６に取付ける場合、レール６の半分の長さ以上に鏡を引き出すことはできないが、左右のリンク片動作部５をそれぞれ別のレールに取付けると、同一のレールに取付けた場合より、鏡の引出し長さを長くすることができる。
【００１４】
図４は、本発明の一実施例に係る化粧鏡の外観斜視図である。
レール６が本体２の上下２ヶ所に水平方向に取り付けられており、鏡３を手前に引き出した後、左右方向に移動させることができる。このため、使用者は化粧鏡１の中央から動くことなく鏡裏収納物をより容易に出し入れすることができる。
【００１５】
図５は、本発明の一実施例に係る化粧鏡の外観斜視図である。
レール６が本体２の左右２ヶ所に垂直方向に取り付けれられており、鏡３を手前に引き出した後、上下方向に移動させることができる。
ここで、特にレールが垂直な場合においては、レール６に取付けられる上下のリンク片動作部５がレール６の中央に対して、歯車、バネ、ワイヤー等を利用して上下に均等に動く機構を備えるのが好ましい。
【００１６】
図６は、鏡３を下方向に移動させた状態の図である。
これにより、身長の低いお年寄り・子供であっても台に乗ったりすることなく鏡３を無理なく使うことができ、また背の高い人であってもひざを曲げたりすることなく鏡３を無理なく使うことができる。
さらに、化粧鏡１の間口が小さくても、リンク片４の長さを大きくとれるため、鏡３の手前へ引き出せる距離をより大きくとることができる。
【００１７】
図７は、本発明の一実施例に係る化粧鏡のうち、鏡を前後に動作させる機構部の外観斜視図である。
リンク片４は一端が鏡３に軸支され、もう一端がリンク片動作部５に軸支されている。リンク片動作部５はのこ歯形状部１０ａ、１０ｂと台車部１１ａ、１１ｂからなり、のこ歯形状部１０ａ、１０ｂは、レール６内に取り付けられた歯車１２と互いに噛み合っている。
図７の状態は、鏡３が手前に引き出される前の状態であり、この状態から、たとえば、右手で鏡３の右側を手前に引くと、台車部１１ａが右に動き、同時にのこ歯部１０ａも右に動き、歯車１２が時計回りに回転する。その歯車１２の回転力によりのこ歯部１０ｂが左に動き、同時に台車部１１ｂも左に動く。
この動きにより、片手のみでも傾くことなく容易に鏡３を手前に引き出すことができる。
【００１８】
図８は、鏡３が手前に引き出された後の状態である。
のこ歯形状部１０ａ、１０ｂは、レール６内に取り付けられた歯車１２に対して、左右に開かれた位置となっており、鏡が手前に引き出されている。
【００１９】
図９は、本発明の一実施例に係る化粧鏡の中央部の平面図である。
歯車が回転装置１３により自動的に回転自在となっている。
これにより、特に手の力の弱い人やハンディのある人が力を使うことなくスイッチを押すだけで前記鏡を手前に引き出すことができる。
また、レール内の歯車を自動で回転させ鏡の引き出しや戻しが自動でできる機構となっており、鏡の側面や裏面にじゃまになるものがないので鏡裏収納にある化粧品などを容易に出し入れすることができる。
【００２０】
【発明の効果】
本発明では、上記の構成とすることにより化粧やコンタクトレンズ装着などの際に、顔や目の細かな状態を確認するために、鏡を手前に引き出すことにより腰を曲げずに楽な姿勢で前記鏡を近くで見ることができ、かつその際に必要な化粧品などの鏡裏収納物を容易に取り出すことができる。
【図面の簡単な説明】
【図１】本発明の一実施例に係る化粧鏡の外観斜視図である。
【図２】本発明の一実施例に係る化粧鏡の中央部の平面図であり、鏡が手前に引き出される前の状態の図である。
【図３】本発明の一実施例に係る化粧鏡の中央部の平面図であり、鏡が手前に引き出された後の状態の図である。
【図４】本発明の一実施例に係る化粧鏡の外観斜視図である。
【図５】本発明の一実施例に係る化粧鏡の外観斜視図である。
【図６】本発明の一実施例に係る化粧鏡の外観斜視図である。
【図７】本発明の一実施例に係る化粧鏡のうち、鏡を前後に動作させる機構部の外観斜視図である。
【図８】本発明の一実施例に係る化粧鏡のうち、鏡を前後に動作させる機構部の外観斜視図である。
【図９】本発明の一実施例に係る化粧鏡の中央部の平面図であり、歯車に回転装置を取り付けたものである。
【図１０】従来の化粧鏡の外観斜視図である。
【符号の説明】
１…化粧鏡、２…本体、３…鏡、４…リンク片、５…リンク片動作部、６…レール
７…鏡裏収納部、８…収納部、９…照明部
１０ａ…のこ歯部、１０ｂ…のこ歯部
１１ａ…台車部、１１ｂ…台車部
１２…歯車、１３…回転装置
【図１】
2004073361.tif 000003
【図２】
2004073361.tif 000004
【図３】
2004073361.tif 000005
【図４】
2004073361.tif 000006
【図５】
2004073361.tif 000007
【図６】
2004073361.tif 000008
【図７】
2004073361.tif 000009
【図８】
2004073361.tif 000010
【図９】
2004073361.tif 000011
【図１０】
2004073361.tif 000012